(57)【要約】【課題】  ワイヤー錠用等の錠前において、円筒形の錠本体内に嵌装する施錠リングの内周面にそれぞれ具えた係合突起の配置位置を探り出し難くして、不正な開錠をより防止できるようにする。【構成】  錠本体１に形成した円筒部３内に、固定クリック板４と回転クリックリング７を嵌装し、同軸上に、角度差のある係合突起１６を具えた複数の施錠リング１０を間にスペーサリング１１を介在させて嵌装して、円筒部を鍵孔１４を具えた蓋板１３で閉鎖する一方、錠杆体２５に一体に形成した錠杆２４の側面に、回転クリックリングと、各施錠リングの各係合突起に係合する鍵突起２６を設けた錠前において、錠本体の円筒部の内端部に、常時けりだしばね２２に付勢されつつ施錠状態にある錠杆を内端部から圧迫するけりだし部材２３を嵌装し、蓋板の内端面に鍵突起を掛止する凸部１３’を設けたワイヤー錠用等の錠前。【選択図】    図１
2006183366.tif 000002
【特許請求の範囲】
【請求項１】
ワイヤーまたはチエンの一端を連結する錠本体に円筒部を形成し、円筒部内に、非回転に固定される固定クリック板と、錠杆の挿入孔を中心に具えて回転自在に嵌合する回転クリックリングを互いに弾性的に圧接させて嵌装するとともに、回転クリックリングと同軸上に、それぞれ鍵突起の挿通孔と、該挿通孔に対して回転方向に角度差のある係合突起とを内周面に具えた複数個の施錠リングをそれぞれ回転自在に、かつ、互いの間にスペーサリングを介在させて嵌装し、上記円筒部の開口部を鍵孔を具えた蓋板で閉鎖する一方、上記ワイヤーまたはチエンの他端を連結する錠杆体に、上記鍵孔から錠本体の円筒部内に挿入される錠杆を一体に形成し、この錠杆の長さ方向に沿う側面に、上記回転クリックリングの挿入孔と、各施錠リングの各係合突起とにそれぞれ係合して、上記回転クリックリングと、各施錠リングを施錠方向と開錠方向とに回転させる鍵突起を設けたチエン錠用等の錠前において、前記錠本体の円筒部の内端部に、常時けりだしばねに付勢されつつ、施錠状態にある前記錠杆体を内端部から圧迫するけりだし部材を嵌装するとともに、前記蓋板の内端面に前記鍵突起と係合して上記錠杆体の回転を不能に掛止する凸部を配設したことを特徴とするワイヤー錠用等の錠前。
【発明の詳細な説明】
【技術分野】
【０００１】
本発明は、ワイヤーまたはチエンの一端を錠本体に連結し、他端を錠杆体に連結するとともに、円筒形に形成した錠本体内に複数個の施錠リングを嵌装し、錠杆体には各施錠リングに配設した係合突起と係合する鍵突起を設けて施錠、開錠動作を行なうようにしたワイヤー錠用等の錠前に関し、施錠状態にある各施錠リングの開錠位置を探られ難くして不正な開錠を防止するようにしたことを特長とするものである。
【背景技術】
【０００２】
円筒形の錠本体内にそれぞれ係合突起を内周に具えた複数個の施錠リングを回転自在に嵌装し、錠杆体の一側に各施錠リングと係合する鍵突起を設けたこの種のワイヤー錠用等の錠前には、例えば出願人の先願に特許文献１がある。
【０００３】
【特許文献１】実開昭６３−２５７６９号公報（例えば、第１頁、第２図参照）
【発明の開示】
【発明が解決しようとする課題】
【０００４】
上記先願の錠前は、通常の文字合わせ錠と異なって錠本体の表面に施錠リングの周面が表れていないので探り止め効果が高いという利点があるが、施錠状態に錠本体に挿入されている錠杆体を強く引っ張りながら回すことによって各施錠リングの内周面に具えている係合突起の配置位置を探り出して不法に開錠される場合が多いという欠点があった。
以上のことから、本発明が解決しようとする課題は、各施錠リングの内周面に具えている係合突起の配置位置を探り出し難くして、不正な開錠をより防止できるようにすることにある。
【課題を解決するための手段】
【０００５】
そこで本発明は、上記の課題を解決するために、ワイヤーまたはチエンの一端を連結する錠本体に円筒部を形成し、円筒部内に、非回転に固定される固定クリック板と、錠杆の挿入孔を中心に具えて回転自在に嵌合する回転クリックリングを互いに弾性的に圧接させて嵌装するとともに、回転クリックリングと同軸上に、それぞれ鍵突起の挿通孔と、該挿通孔に対して回転方向に角度差のある係合突起とを内周面に具えた複数個の施錠リングをそれぞれ回転自在に、かつ、互いの間にスペーサリングを介在させて嵌装し、上記円筒部の開口部を鍵孔を具えた蓋板で閉鎖する一方、上記ワイヤーまたはチエンの他端を連結する錠杆体に、上記鍵孔から錠本体の円筒部内に挿入される錠杆を一体に形成し、この錠杆の長さ方向に沿う側面に、上記回転クリックリングの挿入孔と、各施錠リングの各係合突起とにそれぞれ係合して、上記回転クリックリングと、各施錠リングを施錠方向と開錠方向とに回転させる鍵突起を設けたワイヤー錠用等の錠前において、前記錠本体の円筒部の内端部に、常時けりだしばねに付勢されつつ、施錠状態にある前記錠杆体を内端部から圧迫するけりだし部材を嵌装するとともに、前記蓋板の内端面に前記鍵突起と係合して上記錠杆体の回転を不能に掛止する凸部を配設したことを特徴とするワイヤー錠用等の錠前を提供するものである。
【発明の効果】
【０００６】
上記のように構成した本発明錠前は、錠本体の円筒部の内端部に備えたけりだし部材が常時けりだしばねに付勢されつつ施錠状態にある錠杆を内端部から強く圧迫して蓋板の内端面に具えた凸部に鍵突起を係合させて錠杆体の回転を不能に掛止している。したがって、開錠する場合には、まず錠杆体を押し込んでからでなくては探りができない。そして、錠杆体の押し込みによって錠杆体の回転は可能になるが、それによりけりだしばねの付勢が増すことになるので、各施錠リング内で回転する鍵突起と係合突起との当接が滑らかに行なわれ、クリック音とその振動を感知することはできるが、鍵突起と係合突起との接触による振動が錠本体と錠杆体にはきわめて伝わり難くなって、不正な開錠を困難にし、施錠に対する信頼性が向上する。
以上のようにして本発明は前記の課題を解決したものである。
【発明を実施するための最良の形態】
【０００７】
ワイヤーまたはチエンの一端を連結する錠本体に円筒部を形成する。
錠本体の円筒部内に、固定クリック板を非回転に固定し、中心に錠杆の挿入孔を具えた回転クリックリングを回転自在に嵌合するとともに、固定クリック板と互いに弾性的に圧接させて嵌装する。
回転クリックリングと同軸上に、それぞれ鍵突起の挿通孔と、該挿通孔に対して回転方向に角度差のある係合突起とを内周面に具えた複数個の施錠リングをそれぞれ回転自在に、かつ、互いの間にスペーサリングを介在させて嵌装し、円筒部の開口部を鍵孔を具えた蓋板で閉鎖する。
一方、ワイヤーまたはチエンの他端を連結する錠杆体に、鍵孔から錠本体の円筒部内に挿入される錠杆を一体に形成する。
錠杆の長さ方向に沿う側面に、回転クリックリングの挿入孔と、各施錠リングの各係合突起とにそれぞれ係合して、回転クリックリングと、各施錠リングを施錠方向と開錠方向とに回転させる鍵突起を設ける。
上記錠本体の円筒部の内端部に、常時けりだしばねに付勢されつつ、施錠状態にある前記錠杆を内端部から圧迫するけりだし部材を嵌装し、
前記蓋板の内端面に前記鍵突起と係合して上記錠杆体の回転を不能に掛止する凸部を配設する。
以上の構成からなるワイヤー錠用等の錠前。
【実施例】
【０００８】
以下に本発明の実施例を図面について説明する。
図１は、本発明に係る錠前の分解斜視図と組立斜視図、図２は、本発明に係る錠前の側面図、図３は、施錠状態を説明する側面図、図４は、開錠状態の側面図、図５は、施錠状態を示す縦断側面図、図６は、蓋板の内端面図と縦断面図、図７は、施錠リング１０ａの正面図、図８は、施錠リング１０ｂの正面図である。
【０００９】
図において、１は、一端（図示左端）に二股の軸受部２を一体に形成し、他端に開口する円筒部３を具えた錠本体、４は、円筒部３の内端にコイルばね５とともに嵌合して、円筒部３の内面に非回転に固定され、端面の周縁部にクリック突起６を配置した固定クリック板、７は、周縁部にクリック突起６に対応するクリック凹部８具え、中心に錠杆の挿入孔９を具えて回転自在に円筒部３に嵌合し、固定クリック板６と互いに弾性的に圧接する回転クリックリング、１０ａ、１０ｂは、それぞれ回転自在に円筒部３に嵌合する施錠リング、１１は、回り止めの突起１２を具えて各リングの間に介在するスペーサリング、１３は、中心に鍵孔１４を具えて円筒部３の開口部を閉鎖する番手設定兼用の蓋板である。
【００１０】
回転クリックリング７と、施錠リング１０ａ、１０ｂは、挿入孔９の一側に鍵孔１４と連通する挿通孔１５を設け、施錠リング１０ａ、１０ｂは、内周面に挿通孔１５からそれぞれ円周方向に角度差のある係合突起１６を具えている（図７、８参照）。また、固定クリック板６とスペーサリング１１と蓋板１３は、外周に具えた突起１２と１７を円筒部３の内周面の回り止め溝１８に掛止させてそれぞれ非回転に嵌装される。
【００１１】
上記錠本体１の円筒部３の内端部には、図５に示すように、中心にばねの保持孔１９を貫通させた円柱形のブロック２０がばね受け板２１とともに固定され、保持孔１９内に嵌装したけりだしばね２２に付勢されるけりだし部材２３を有して、円筒部３内で施錠状態にある錠杆２４の内端部を常時けりだし方向に付勢している。
【００１２】
ワイヤーまたはチエンの他端を連結する錠杆体２５は、図１に示すように、一端に上記鍵孔１４から錠本体１の円筒部３内に挿入される錠杆２４を具え、錠杆２０の長さ方向の一側面に、上記施錠リング１０ａ、１０ｂ、回転クリックリング７とに対応する３個の鍵突起２６を設けている。
【００１３】
一方、円筒部３の開口部を閉鎖する番手設定兼用の蓋板１３は、図６に示すように、内端面に番手に対応する凸部１３’を配設していて、けりだしばね２２とけりだし部材２３とに付勢されて後退する錠杆２４の鍵突起２６を凸部１３’の間に嵌合させて、施錠状態にある錠杆体２５の回転を阻止している。
【００１４】
なお、この実施例において、錠杆体２５は、一方の端面に開口する中空室２７内にジョイントブロック２８を嵌装してピン２９で該ブロック２８を抜け止めし、該ブロック２８の外周に具えた凹部３０を介してカバー部材３１を外嵌し、さらに、錠本体の場合と同様に二股に形成した軸受部３２を一体に設けた外端部材３３を、ジョイントブロック２８側の一側を開放した内周溝３４と外端部材３３側の内端のフランジ部３５との嵌合により一体に連結するようにしている。
【００１５】
錠本体１と錠杆体２５の外端部にそれぞれ二股に一体形成した軸受部２と３２には、それぞれヒンジ軸３６で軸受けされる保持金具３７を取り付け、該金具３７と筒形のカバー３８とを介して図示省略のワイヤーまたはチエンの両端を連結し、固着する。
【００１６】
図５に示すように、施錠状態にある錠杆２４の内端は、上述のように、錠本体１の円筒部３の内端部で常時けりだしばね２２に付勢されいるけりだし部材２３の圧迫により、開口部側に強く付勢されて、手前側の鍵突起２６を蓋板１３の内端面の凸部１３に係合させ非回転に保持されている。
【００１７】
なお、図中３９は、錠本体１の円筒部３の開口部の口縁に設けた一方の符合部、４０は、錠杆体２５の縁に設けた他方の符合部である。
本発明に係る錠前は、施錠状態にあって、けりだし部材２３に圧迫されている錠杆体２５を円筒部３側に対して押し付けつつ一回転以上回して、上記符合部４０を円筒部３側の符合部３９に合致させた上で、固定クリック板４と回転クリックリング７とが発するクリック音と振動を数えながら、この実施例では右に６個左に６個さらに右へ３個錠杆体２５を回転させることによって、施錠リング１０ａ、１０ｂの係合突起１６と鍵突起２６とが開錠位置に整合して開錠できるようになる。
【００１８】
上記の構成を備えた本発明に係る錠前は、施錠状態にある錠杆体２５がけりだし部材２３の付勢により、図３に示すように、錠本体１と若干の間隙をおいて錠杆体２５が常時後退している。
錠杆体２５が後退しているときは、上述のように、錠杆２４の鍵突起２６が蓋板１３の内端面の凸部１３’に係合しているので不正に開錠しようとしても錠杆体２５は回らないからクリック音と振動は生じない。
さらに不正に開錠しようとして錠杆体２５を押し込めば、錠杆２４の回転が可能になり、錠杆２４の回転にしたがってクリック音と振動を生ずるが、錠杆２４の押し込みによりけりだしばね２２の付勢が増強されるので、鍵突起２６と施錠リングの係合突起１６との当接位置を感知できるまでには至らない。
【産業上の利用可能性】
【００１９】
前記のように構成され上記のように用いられるようにした本発明錠前は、従来のこの種の錠前に比べて不正な開錠操作に対する防止効果がきわめて高く、信頼性の高い錠前を得ることができるとともに、製作が容易であるなど有用である。
【図面の簡単な説明】
【００２０】
【図１】図１は本発明に係る錠前の分解斜視図と組立斜視図である。
【図２】図２は本発明に係る錠前の側面図である。
【図３】図３は施錠状態を説明する側面図である。
【図４】図４は開錠状態の分解側面図である。
【図５】図５は施錠状態を示す縦断側面図である。
【図６】蓋板の内端面図と縦断面図である。
【図７】施錠リング１０ａの正面図である。
【図８】施錠リング１０ｂの正面図である。
【符号の説明】
【００２１】
１  錠本体
２  軸受部
３  円筒部
４  固定クリック板
５  コイルばね
６  クリック突起
７  回転クリックリング
８  クリック凹部
９  錠杆の挿入孔
１０ａ、１０ｂ  施錠リング
１１  スペーサリング
１２  回り止め突起
１３  蓋板  （１３’  凸部）  
１４  鍵孔
１５  挿通孔
１６  係合突起
１７  突起
１８  回り止め溝
１９  ばねの保持孔
２０  ブロック
２１  ばね受け板
２２  けりだしばね
２３  けりだし部材
２４  錠杆
２５  錠杆体
２６  鍵突起
２７  中空室
２８  ジョイントブロック
２９  ピン
３０  凹部
３１  カバー部材
３２  軸受部
３３  外端部材
３４  内周溝
３５  フランジ部
３６  ヒンジ軸
３７  保持金具
３８  カバー
３９、４０  符合部
【図１】
2006183366.tif 000003
【図２】
2006183366.tif 000004
【図３】
2006183366.tif 000005
【図４】
2006183366.tif 000006
【図５】
2006183366.tif 000007
【図６】
2006183366.tif 000008
【図７】
2006183366.tif 000009
【図８】
2006183366.tif 000010